(57)【特許請求の範囲】
【請求項１】
使用者の皮膚のケアに利用されるケアセットであって、
使用者の皮膚の洗浄に利用される洗浄シート包装物品と、
前記洗浄シート包装物品による前記使用者の皮膚の洗浄よりも後に行われる前記使用者の皮膚へのケア剤の供給に利用されるケアシート包装物品と、
前記ケアシート包装物品による前記使用者の皮膚への前記ケア剤の供給よりも後に行われる前記使用者の皮膚の保湿に利用される保湿シート包装物品と、
を備え、
前記洗浄シート包装物品が、
液状の洗浄剤が含浸されるとともに前記使用者の皮膚に接触して前記使用者の皮膚を洗浄する洗浄シートと、
前記洗浄シートを外気から遮断しつつ収容する洗浄シート包装体と、
を備え、
前記ケアシート包装物品が、
液状の前記ケア剤が含浸されるとともに前記使用者の皮膚に接触して前記ケア剤を前記使用者の皮膚に供給するケアシートと、
前記ケアシートを外気から遮断しつつ収容するケアシート包装体と、
を備え、
前記保湿シート包装物品が、
液状の保湿剤が含浸されるとともに前記使用者の皮膚に接触して前記保湿剤を前記使用者の皮膚に供給する保湿シートと、
前記保湿シートを外気から遮断しつつ収容する保湿シート包装体と、
を備え、
前記洗浄シートが、表層、中間層および裏層を水流交絡により一体化して形成された３層構造の不織布であり、
前記洗浄シートの前記表層および前記裏層のそれぞれが、５０質量％以上８０質量％以下の分割繊維を含む疎水性繊維により形成され、
前記表層および前記裏層の間に挟まれる前記中間層が、親水性繊維により形成されることを特徴とするケアセット。
【請求項２】
請求項１に記載のケアセットであって、
前記包装体が、袋状のフィルム部材であることを特徴とするケアセット。
【請求項３】
請求項１または２に記載のケアセットであって、
前記包装体内に、前記洗浄シートが１枚だけ収容されることを特徴とするケアセット。
【請求項４】
請求項１ないし３のいずれかに記載のケアセットであって、
前記洗浄剤のｐHが、４．５以上６．５以下であることを特徴とするケアセット。
【請求項５】
請求項１ないし４のいずれかに記載のケアセットであって、
前記洗浄シートが、長さ３００ｍｍ以上５００ｍｍ以下、かつ、幅２００ｍｍ以上４００ｍｍ以下の略矩形状であることを特徴とするケアセット。
【請求項６】
請求項１ないし５のいずれかに記載のケアセットであって、
前記洗浄シートの前記中間層の質量が、前記洗浄シートの質量の３０％以上６０％以下とされ、
前記表層および前記裏層の質量の合計が、前記洗浄シートの質量の４０％以上７０％以下であることを特徴とするケアセット。
【請求項７】
請求項１ないし６のいずれかに記載のケアセットであって、
前記洗浄シートの前記表層および前記裏層のそれぞれが、２０質量％以上４０質量％以下のアクリル繊維を含むことを特徴とするケアセット。
【請求項８】
請求項１ないし７のいずれかに記載のケアセットであって、
前記洗浄シートの面密度が、３０ｇ／ｍ２以上８０ｇ／ｍ２以下であることを特徴とするケアセット。
【請求項９】
請求項１ないし８のいずれかに記載のケアセットであって、
１枚の洗浄シートに含浸される洗浄剤の質量が、前記１枚の洗浄シートの質量の２倍以上５倍以下であることを特徴とするケアセット。
【請求項１０】
請求項１ないし９のいずれかに記載のケアセットであって、
前記洗浄シート包装物品の前記洗浄シート包装体、前記ケアシート包装物品の前記包装体、および、前記保湿シート包装物品の前記保湿シート包装体が、連結された複数の袋状のフィルム部材であることを特徴とするケアセット。
【発明の詳細な説明】
【技術分野】
【０００１】
本発明は、皮膚のケアに利用されるケアセットに関する。
【背景技術】
【０００２】
従来より、病院や介護施設、あるいは、在宅介護の現場では、患者や被介護者のスキントラブルが問題となっている。スキントラブルの例としては、皮膚に刺激物が付着することにより生じる痒みやかぶれ等の炎症が挙げられる。
【０００３】
被介護者が高齢者である場合、加齢現象により皮膚のアルカリ中和能が低下しているため、アルカリ性の物質が付着することにより皮膚にかぶれ等が生じやすい。特に、被介護者がおむつ等を着用している場合、おむつ内で腐敗してアルカリ化した尿、食生活や尿路感染等の原因によりアルカリ化している尿、あるいは、消化酵素を多く含むためアルカリ性となる下利便等の付着により、痒みやかぶれ等のスキントラブルがより生じやすい。また、尿路ストーマや小腸ストーマの周囲の皮膚では、ストーマから排泄される強アルカリの排泄物によりスキントラブルが生じる。
【０００４】
病院や介護施設等では、スキントラブルに対する対処として、皮膚の洗浄や医薬の塗布等が行われている。特許文献１では、有機酸、無機酸およびそれらの塩のいずれか１種以上を必須成分として含有するとともに外陰部周辺部および泌尿器周辺部の少なくともいずれかの部位を清掃するための水性皮膚洗浄剤が開示されている。特許文献１では、当該洗浄剤の使用方法として、洗浄剤をトイレットペーパーに採って皮膚を拭う方法、および、洗浄剤を皮膚に塗布または噴霧した後にトイレットペーパーで拭う方法が記載されている。特許文献１の洗浄剤では、上記必須成分が配合されていることにより、皮膚の洗浄時にトイレットペーパーの紙力低下が防止されて紙よれや紙破れが防止される。また、上記必須成分の好適な有機酸の例としては、リンゴ酸やクエン酸等が挙げられている。
【特許文献１】特開２００１−３４８３２４号公報
【発明の開示】
【発明が解決しようとする課題】
【０００５】
ところで、特許文献１の洗浄剤を利用して皮膚を洗浄する場合、皮膚の洗浄作業を開始する前に、上述のように、トイレットペーパーに洗浄剤を採る作業、または、洗浄剤を皮膚に塗る作業が必要となるため、洗浄作業を迅速に行うことが困難である。さらに、病院等の施設では、洗浄剤を容器等に入れて病室間を持ち歩くことになるため、洗浄作業に多大な労力が必要になってしまうとともに衛生面上も好ましくない。
【０００６】
また、洗浄剤に有機酸等を配合することにより洗浄に使用するトイレットペーパー等の紙力低下の防止が図られているが、水分を含んだ紙は比較的脆いため、皮膚との摩擦によりちぎれて破片が皮膚に付着してしまう。このため、洗浄作業の効率向上が難しく、また、洗浄作業の質の向上にも限界がある。
【０００７】
本発明は、上記課題に鑑みなされたものであり、皮膚の洗浄作業を迅速かつ容易に行うことを主な目的とし、また、洗浄作業の質を向上することも目的としている。
【課題を解決するための手段】
【０００８】
請求項１に記載の発明は、使用者の皮膚のケアに利用されるケアセットであって、使用者の皮膚の洗浄に利用される洗浄シート包装物品と、前記洗浄シート包装物品による前記使用者の皮膚の洗浄よりも後に行われる前記使用者の皮膚へのケア剤の供給に利用されるケアシート包装物品と、前記ケアシート包装物品による前記使用者の皮膚への前記ケア剤の供給よりも後に行われる前記使用者の皮膚の保湿に利用される保湿シート包装物品とを備え、前記洗浄シート包装物品が、液状の洗浄剤が含浸されるとともに前記使用者の皮膚に接触して前記使用者の皮膚を洗浄する洗浄シートと、前記洗浄シートを外気から遮断しつつ収容する洗浄シート包装体とを備え、前記ケアシート包装物品が、液状の前記ケア剤が含浸されるとともに前記使用者の皮膚に接触して前記ケア剤を前記使用者の皮膚に供給するケアシートと、前記ケアシートを外気から遮断しつつ収容するケアシート包装体とを備え、前記保湿シート包装物品が、液状の保湿剤が含浸されるとともに前記使用者の皮膚に接触して前記保湿剤を前記使用者の皮膚に供給する保湿シートと、前記保湿シートを外気から遮断しつつ収容する保湿シート包装体とを備え、前記洗浄シートが、表層、中間層および裏層を水流交絡により一体化して形成された３層構造の不織布であり、前記洗浄シートの前記表層および前記裏層のそれぞれが、５０質量％以上８０質量％以下の分割繊維を含む疎水性繊維により形成され、前記表層および前記裏層の間に挟まれる前記中間層が、親水性繊維により形成される。
【０００９】
請求項２に記載の発明は、請求項１に記載のケアセットであって、前記包装体が、袋状のフィルム部材である。
【００１０】
請求項３に記載の発明は、請求項１または２に記載のケアセットであって、前記包装体内に、前記洗浄シートが１枚だけ収容される。
【００１１】
請求項４に記載の発明は、請求項１ないし３のいずれかに記載のケアセットであって、前記洗浄剤のｐHが、４．５以上６．５以下である。
【００１２】
請求項５に記載の発明は、請求項１ないし４のいずれかに記載のケアセットであって、前記洗浄シートが、長さ３００ｍｍ以上５００ｍｍ以下、かつ、幅２００ｍｍ以上４００ｍｍ以下の略矩形状である。
【００１３】
請求項６に記載の発明は、請求項１ないし５のいずれかに記載のケアセットであって、前記洗浄シートの前記中間層の質量が、前記洗浄シートの質量の３０％以上６０％以下とされ、前記表層および前記裏層の質量の合計が、前記洗浄シートの質量の４０％以上７０％以下である。
【００１４】
請求項７に記載の発明は、請求項１ないし６のいずれかに記載のケアセットであって、前記洗浄シートの前記表層および前記裏層のそれぞれが、２０質量％以上４０質量％以下のアクリル繊維を含む。
【００１５】
請求項８に記載の発明は、請求項１ないし７のいずれかに記載のケアセットであって、前記洗浄シートの面密度が、３０ｇ／ｍ２以上８０ｇ／ｍ２以下である。
【００１６】
請求項９に記載の発明は、請求項１ないし８のいずれかに記載のケアセットであって、１枚の洗浄シートに含浸される洗浄剤の質量が、前記１枚の洗浄シートの質量の２倍以上５倍以下である。
【００１７】
請求項１０に記載の発明は、請求項１ないし９のいずれかに記載のケアセットであって、前記洗浄シート包装物品の前記洗浄シート包装体、前記ケアシート包装物品の前記包装体、および、前記保湿シート包装物品の前記保湿シート包装体が、連結された複数の袋状のフィルム部材である。
【発明の効果】
【００１８】
本発明では、洗浄作業を迅速かつ容易に行うことができる。また、きめ細かい泡を泡立ち良く生成して洗浄作業の質を向上することもできる。さらに、ケアセットを容易に携帯することができる。請求項２の発明では、洗浄シート包装物品を薄型化することができる。請求項３の発明では、衛生管理の質を向上することができる。請求項４の発明では、皮膚に対する刺激を低減することができる。
【発明を実施するための最良の形態】
【００１９】
図１は、本発明の第１の実施の形態に係るケアセット１の構成を示す平面図である。ケアセット１は、病院や介護施設等における入院患者や被介護者等の皮膚の総合的なケア（以下、「総合ケア」という。）に利用されるものであり、以下、ケアセット１が使用される対象である入院患者等を「使用者」という。ここで、使用者の皮膚の総合ケアとは、皮膚の炎症等のスキントラブルの抑制や予防、古くなった角質の除去、皮膚細胞の再生促進、および、皮膚の美白（すなわち、メラニンの生成抑制）といった狭義のケアを含み、さらに、狭義のケアの前処理として行われる皮膚の洗浄、および、後処理として行われる皮膚の保湿を含む総合的なスキンケアを意味する。
【００２０】
図１に示すように、ケアセット１は、使用者の皮膚の洗浄に利用される洗浄シート包装物品２、使用者の皮膚のケア（上記の総合ケアに対する狭義のケアであり、上述のように、皮膚の炎症の抑制や予防、古い角質の除去、皮膚細胞の再生促進、および、皮膚の美白を意味する。）に利用されるケアシート包装物品３、および、使用者の皮膚の保湿に利用される保湿シート包装物品４を連結された状態で備える。
【００２１】
洗浄シート包装物品２は、液状の洗浄剤が含浸されるとともに使用者の皮膚に接触して使用者の皮膚を洗浄する洗浄シート２１、および、包装体全体の一部であって洗浄シート２１を外気から遮断しつつ収容する洗浄シート包装体２２を備える。ケアシート包装物品３は、液状のケア剤が含浸されるとともに使用者の皮膚に接触してケア剤を使用者の皮膚に供給するケアシート３１、および、包装体全体の一部であってケアシート３１を外気から遮断しつつ収容するケアシート包装体３２を備える。保湿シート包装物品４は、液状の保湿剤が含浸されるとともに使用者の皮膚に接触して保湿剤を使用者の皮膚に供給する保湿シート４１、および、包装体全体の一部であって保湿シート４１を外気から遮断しつつ収容する保湿シート包装体４２を備える。
【００２２】
洗浄シート包装体２２、ケアシート包装体３２および保湿シート包装体４２はそれぞれ、袋状のフィルム部材（すなわち、重ねられた２枚のフィルム部材）であり、各包装体は他の２つの包装体と連結している。なお、図１では２枚のフィルム部材の接合領域に平行斜線を付しており、この領域の中心線が各包装体間の境界に相当する。各包装体のフィルム部材としては、例えば、蒸着フィルム等の２層構造あるいは３層構造のものが用いられてもよい。ケアセット１では、洗浄シート包装体２２、ケアシート包装体３２および保湿シート包装体４２の内部空間が互いに独立しており、洗浄シート包装体２２内には洗浄シート２１が１枚だけ収容される。また、ケアシート包装体３２内にはケアシート３１が１枚だけ収容され、保湿シート包装体４２内には保湿シート４１が１枚だけ収容される。
【００２３】
ケアセット１では、各シート包装体のエッジの少なくとも一部が容易に引き裂くことが可能な形状または材質とされており（例えば、各シート包装体のエッジに開封用の切り込みが設けられる。）、ケアセット１を使用する際には、各シート包装体を引き裂くことにより各シートを容易に取り出すことができる。ケアシート包装物品３では、後述するようにケアシート３１に含浸されるケア剤に食酢が含まれているため、ケア剤によるケアシート包装体３２の酸化を防止するという観点から、ケアシート包装体３２として、内面（すなわち、ケアシート３１と接触する面）にシリコン（Ｓｉ）等が蒸着されたフィルム部材が利用されることが好ましい。
【００２４】
洗浄シート２１は、長さ３００ｍｍ以上５００ｍｍ以下、かつ、幅２００ｍｍ以上４００ｍｍ以下の略矩形状であり、その面密度は、好ましくは３０ｇ／ｍ２以上８０ｇ／ｍ２以下とされる。図２は、洗浄シート２１を示す部分断面図である。図２に示すように、洗浄シート２１は、表層２１１、中間層２１２および裏層２１３を水流交絡により一体化して形成された３層構造の不織布である。図２では、図示の都合上、表層２１１、中間層２１２および裏層２１３を明瞭に区別して描いているが、実際には各層の境界面近傍では水流交絡により繊維が混じり合うため、境界面は比較的不明瞭となる。
【００２５】
表層２１１および裏層２１３は疎水性繊維により形成され、それぞれ、５０質量％以上８０質量％以下の分割繊維、および、２０質量％以上４０質量％以下のアクリル繊維を含む。ここで、分割繊維とは、２種類の異なる成分を複合紡糸し、これを分割して極細繊維（一般的に、０．４〜１．０ｄｔｅｘの繊維を指す。）または超極細繊維（一般的に、０．００１〜０．４ｄｔｅｘの繊維を指す。）にしたものを意味し、例えば、ポリエチレン繊維とポリプロピレン繊維とにより形成される。本実施の形態では、表層２１１および裏層２１３のそれぞれが、７０質量％の分割繊維と３０質量％のアクリル繊維を含む。中間層２１２は親水性繊維（好ましくは、レーヨン繊維）により形成される。
【００２６】
なお、表層２１１および裏層２１３に含まれる分割繊維は、例えば、放射状繊維と扁平状繊維とが組み合わされたものであってもよく、あるいは、扁平状繊維同士が組み合わせられたものであってもよい。また、表層２１１および裏層２１３を構成する疎水性繊維として、ポリアミド繊維やポリエステル繊維（例えば、ポリエチレンテレフタラート繊維）等が用いられてもよく、中間層２１２を構成する親水性繊維として、綿（コットン）や絹、アセテート繊維等が用いられてもよい。
【００２７】
洗浄シート２１では、表層２１１および裏層２１３の乾燥質量の合計が、洗浄シート２１の乾燥質量の４０％以上７０％以下とされ、表層２１１および裏層２１３の間に挟まれる中間層２１２の乾燥質量が、洗浄シート２１の乾燥質量の３０％以上６０％以下とされる。本実施の形態では、洗浄シート２１の乾燥質量に対する表層２１１、中間層２１２および裏層２１３のそれぞれの質量％は、２０％，６０％，２０％とされる。
【００２８】
１枚の洗浄シート２１に含浸される洗浄剤の質量は、好ましくは１枚の洗浄シート２１の乾燥質量の２倍以上５倍以下とされ、本実施の形態では３倍とされる。洗浄剤はいわゆる弱酸性であり、そのｐHは、健常な人の皮膚のｐHとほぼ等しい４．５以上６．５以下とされることが好ましい。
【００２９】
ケアシート３１は、長さ２００ｍｍ以上４００ｍｍ以下、かつ、幅１５０ｍｍ以上３００ｍｍ以下の略矩形状の不織布であり、その面密度は、好ましくは３０ｇ／ｍ２以上８０ｇ／ｍ２以下（本実施の形態では、３５ｇ／ｍ２）とされる。本実施の形態では、ケアシート３１の長さおよび幅は３００ｍｍおよび２５０ｍｍとされ、４つ折りにされた状態でケアシート包装体３２に収容される。ケアシート３１は、親水性繊維（例えば、レーヨン繊維）、疎水性繊維（例えば、ポリエチレンテレフタラート繊維）および融着繊維を含み、本実施の形態におけるケアシート３１の乾燥質量に対するそれぞれの質量％は、例えば、５０％，３５％，１５％とされる。なお、ケアシート包装体３２には、例えば、上記と同じ大きさのケアシート３１がＣ折り返しにされた状態で収容されてもよく、長さ３００ｍｍ，幅２００ｍｍのケアシート３１がＣ折りやＺ折りにされた状態で収容されてもよい（後述の保湿シート４１についても同様）。
【００３０】
１枚のケアシート３１に含浸されるケア剤の質量は、好ましくは１枚のケアシート３１の乾燥質量の２倍以上５倍以下とされ、本実施の形態では３．５倍とされる。ケア剤は、好ましくはリンゴ酢をリンゴ酢の質量の０．５倍以上５倍以下の質量の精製水で希釈して生成される。本実施の形態では、リンゴ酢をリンゴ酢の質量と等しい質量の水で希釈することによりケア剤が生成される。
【００３１】
リンゴ酢は果実酢の一種であり、リンゴ酸やクエン酸、コハク酸等のα−ヒドロキシ酸（いわゆる、フルーツ酸）を豊富に含む。果実酢は食酢の一種であり、換言すれば、ケアシート３１に含浸されるケア剤は食酢を含む。ここでいう食酢、果実酢およびリンゴ酢は、ＪＡＳ（Japanese Agricultural Standard：日本農林規格）により規定されている規格に合致するものを意味している。すなわち、果実酢とは、１リットルの酢を生成する際に３００ｇ以上の果汁を使用して醸造された食酢であり、リンゴ酢とは、１リットルの酢を生成する際に３００ｇ以上のリンゴ果汁を使用して醸造された果実酢である。
【００３２】
保湿シート４１、長さ２００ｍｍ以上４００ｍｍ以下、かつ、幅１５０ｍｍ以上３００ｍｍ以下の略矩形状の不織布であり、その面密度は、好ましくは３０ｇ／ｍ２以上８０ｇ／ｍ２以下（本実施の形態では、４０ｇ／ｍ２）とされる。本実施の形態では、保湿シート４１の長さおよび幅は３００ｍｍおよび２５０ｍｍとされ、４つ折りにされた状態で保湿シート包装体４２に収容される。保湿シート４１は、親水性繊維（例えば、レーヨン繊維）、疎水性繊維（例えば、ポリエチレンテレフタラート繊維）および融着繊維を含み、本実施の形態における保湿シート４１の乾燥質量に対するそれぞれの質量％は、例えば、５０％，３５％，１５％とされる。
【００３３】
１枚の保湿シート４１に含浸される保湿剤の質量は、好ましくは１枚の保湿シート４１の乾燥質量の２倍以上５倍以下とされ、本実施の形態では３倍とされる。
【００３４】
次に、ケアセット１を用いた皮膚のケアの手順について説明する。図３は、使用者の皮膚のケアの流れを示す図である。ケアセット１を用いた使用者の皮膚の総合ケアは、使用者自身により行われてもよく、看護士や介護者により行われてもよい。以下の説明では、総合ケアに係る作業を行う者を「作業者」という。
【００３５】
使用者の皮膚の総合ケアを行う際には、まず、ケアセット１の洗浄シート包装物品２において、洗浄シート包装体２２が開封されて洗浄シート２１が取り出される（ステップＳ１１）。続いて、洗浄シート２１が揉まれる等して作業者の手中にて擦り合わされることにより、洗浄シート２１に含まれている洗浄剤が洗浄シート２の表面にて泡立てられる（ステップＳ１２）。具体的には、洗浄シート２１の中間層２１２に含浸されている洗浄剤が、表層２１１および裏層２１３を通過して洗浄シート２１の表面に染み出す際に、表層２１１および裏層２１３の分割繊維間の細かな隙間を通りつつ空気と混合される。これにより、洗浄シート２１の表面にきめ細かな洗浄剤の泡が多く形成される。
【００３６】
次に、使用者の皮膚の洗浄すべき部位に洗浄シート２１を接触させ、洗浄シート２１により皮膚を軽く摩擦することにより皮膚に付着している汚れを浮かせる（すなわち、油性成分を主成分とする汚れを洗浄剤によりミセル化して皮膚表面から遊離させる）（ステップＳ１３）。そして、皮膚表面の洗浄剤を適温の水により洗い流すことにより皮膚に付着していた汚れを除去した後、皮膚表面に残った余分な水分を拭き取る（ステップＳ１４）。
【００３７】
洗浄シート包装物品２による皮膚の洗浄が終了すると、ケアシート包装物品３のケアシート包装体３２が開封されてケアシート３１が取り出され（ステップＳ１５）、洗浄後の使用者の皮膚にケアシート３１を接触させてケア剤の供給が行われる（ステップＳ１６）。ケアシート３１の皮膚への接触は、例えば、ケアすべき部位をケアシート３１によりパッティングする（すなわち、パタパタとはたく）ことにより行われる。また、適切な時間だけケアシート３１を使用者の皮膚上に載置することによりケア剤の供給が行われてもよい。このように、ケア剤が皮膚に供給されることにより、皮膚の炎症の抑制や予防、古い角質の除去、皮膚細胞の再生促進、および、皮膚の美白といった皮膚のケアが行われる。
【００３８】
ケアシート３１による皮膚のケアが終了すると、保湿シート包装物品４の保湿シート包装体４２が開封されて保湿シート４１が取り出され（ステップＳ１７）、ケア後の使用者の皮膚に保湿シート４１を接触させて保湿剤の供給が行われる（ステップＳ１８）。保湿シート４１の皮膚への接触も、例えば、ケアシート３１と同様に、保湿すべき部位を保湿シート４１によりパッティングすること等により行われる。このように、保湿剤が皮膚に供給されることにより、皮膚の乾燥を防止するとともに皮膚細胞に水分を付与して皮膚の保湿が行われる。
【００３９】
以上に説明したように、ケアセット１を用いた皮膚のケアでは、洗浄シート包装物品２による使用者の皮膚の洗浄が、ケアシート包装物品３のケアシート３１による使用者の皮膚へのケア剤の供給よりも前に行われ、続いて、ケアシート包装物品３による皮膚のケアが行われ、保湿シート包装物品４による皮膚の保湿が、ケアシート３１による使用者の皮膚へのケア剤の供給よりも後に行われる。
【００４０】
このように、ケアセット１では、使用者の皮膚の洗浄、ケアおよび保湿に必要な洗浄シート包装物品２、ケアシート包装物品３および保湿シート包装物品４が１セットにまとめられていることにより、洗浄シート包装物品２、ケアシート包装物品３および保湿シート包装物品４（すなわち、ケアセット１）を容易に携帯することができる。また、洗浄シート包装体２２、ケアシート包装体３２および保湿シート包装体４２が連結された袋状のフィルム部材であるため、ケアセット１をより容易に携帯することができる。
【００４１】
病院等の施設では、使用者毎にケアセット１を用意して各使用者のベッドサイド等に配置しておくことがより好ましい。これにより、看護士等が、洗浄、ケアおよび保湿に係る物品を複数の病室に亘って持ち歩く必要がなくなるため、衛生管理の質を向上することができる。
【００４２】
ケアセット１では、洗浄シート２１、ケアシート３１および保湿シート４１が、洗浄シート包装体２２、ケアシート包装体３２および保湿シート包装体４２にそれぞれ密封されているため、洗浄剤、ケア剤および保湿剤の蒸発が防止されるとともに衛生管理の質をより向上することができる。
【００４３】
洗浄シート包装物品２では、洗浄シート２１に予め洗浄剤が含浸されているため、洗浄シート包装体２２を開封して洗浄シート２１を取り出すだけで洗浄作業を開始することができ、使用者の皮膚の洗浄作業を迅速かつ容易に行うことができる。また、洗浄作業を行う際に、ボトルに入れる等した液状の洗浄剤を持ち運ぶ必要がないため、洗浄作業に係る負担を軽減することができるとともに衛生管理の質を向上することもできる。
【００４４】
洗浄シート包装物品２では、３層構造の洗浄シート２１において、中間層２１２が親水性繊維により形成されるため、洗浄シート２１により水系の洗浄剤を良好に保持することができる。そして、表層２１１および裏層２１３が疎水性繊維により形成されるため、洗浄シート２１に含浸された洗浄剤を泡立てる際に、洗浄剤が表層２１１および裏層２１３の疎水性繊維の間を通りつつ空気と混合されることにより、良好な泡立ちを実現することができる。
【００４５】
さらには、表層２１１および裏層２１３が分割繊維を含むため、洗浄剤が表層２１１および裏層２１３において分割繊維間の細かな隙間を通過することにより、きめ細かい泡を泡立ちよく生成することができる。分割繊維は、複合紡糸したものを分割して形成されるため、繊維断面が扁平であったり角張ったものとなり、同じ繊度の断面円形の極細繊維により表層および裏層が形成される場合に比べて、表層２１１および裏層２１３に形成される空隙が多くなる。その結果、洗浄シート２１では、よりきめ細かい泡を生成することができる。
【００４６】
表層２１１および裏層２１３では、分割繊維の含有率が５０質量％以上とされることにより、泡のきめをより細かくすることができ、また、分割繊維の含有率が８０質量％以下とされることにより、洗浄シート２１の風合いを柔らかくすることができる。その結果、使用者の皮膚に与える物理的刺激を低減しつつ汚れを確実に除去することができ、洗浄作業の質を向上することができる。
【００４７】
洗浄シート２１では、中間層２１２の質量が洗浄シート２１の質量の３０％以上とされ、表層２１１および裏層２１３の合計質量が洗浄シート２１の質量の７０％以下とされることにより、皮膚の洗浄に対して十分な量の洗浄剤を中間層２１２により保持する（すなわち、含浸する）ことができ、洗浄剤の泡立ちをより良くすることができる。洗浄シート２１における中間層２１２の割合や必要とされる洗浄剤の泡の量等に合わせて、１枚の洗浄シート２１に含浸される洗浄剤の質量は、上述のように、洗浄シート２１の質量の２倍以上５倍以下とされることが好ましい。
【００４８】
洗浄シート２１では、表層２１１および裏層２１３が疎水性繊維により形成されることにより、洗浄剤を含浸して湿潤状態となっている洗浄シート２１において、洗浄シート２１が折れ曲がったり丸まった際に、表層２１１（または裏層２１３）同士が互いにくっついてしまうことなく反発する。その結果、洗浄作業を容易化することができ、洗浄作業の質をより向上することができる。
【００４９】
また、中間層２１２の質量が洗浄シート２１の質量の６０％以下とされ、表層２１１および裏層２１３の合計質量が洗浄シート２１の質量の４０％以上とされることにより、湿潤状態における洗浄シート２１のコシの低下を抑制することができ、洗浄シート２１が折れ曲がったり丸まってしまうことを抑制することができる。その結果、洗浄剤を容易に泡立てることができる。
【００５０】
洗浄シート２１では、表層２１１および裏層２１３のそれぞれが、２０質量％以上のアクリル繊維を含むことにより、洗浄シート２１の肌触りを滑らかにして皮膚に与える物理的刺激を低減することができる。また、当該アクリル繊維の質量を、表層２１１および裏層２１３のそれぞれの質量の４０％以下とすることにより、洗浄シート２１のコシの低下を抑制することができる。
【００５１】
洗浄シート２１の表層２１１、中間層２１２および裏層２１３は水流交絡により一体化されているため、洗浄時等に各層が剥離してしまうことを確実に防止することができる。その結果、３層が一体となって揉まれて摺り合わされることにより、よりきめ細かい泡を生成することができる。
【００５２】
上述のように、洗浄シート２１は、長さ３００ｍｍ以上５００ｍｍ以下、かつ、幅２００ｍｍ以上４００ｍｍ以下の略矩形状とされる。このように、洗浄シート２１を片手で扱いやすい大きさの範囲内で比較的大きくすることにより、使用者の皮膚の洗浄すべき部位全体を容易に洗浄することができる。なお、洗浄シート包装物品２では、洗浄シート２１の形状は略矩形状に限定される必要はなく、例えば、円形や楕円形、砂時計型のように、用途に応じて適宜変更されてよい。また、洗浄シート２１の面密度を３０ｇ／ｍ２以上とすることにより、洗浄シート２１からの繊維の脱落を抑制することができ、面密度を８０ｇ／ｍ２以下とすることにより、洗浄シート２１の風合いを柔らかくすることができる。
【００５３】
洗浄シート２１では、含浸される洗浄剤のｐＨが、健康な人の皮膚表面と同様に、４．５以上６．５以下とされる。このように、洗浄剤を皮膚と同様の弱酸性とすることにより、洗浄剤により皮膚に対して与えられる刺激を低減することができる。
【００５４】
洗浄シート包装物品２では、洗浄シート包装体２２が袋状のフィルム部材とされることにより、洗浄シート包装物品２を薄型化することができる。その結果、洗浄シート包装物品２の携帯を容易化することができる。また、洗浄シート包装体２２内に洗浄シート２１が１枚だけ収容されることにより、１回の洗浄作業で洗浄シート包装物品２を使い切ることができるため、衛生管理の質をより向上することができる。
【００５５】
ケアシート包装物品３では、ケアシート３１に予めケア剤が含浸されているため、ケアシート包装体３２を開封してケアシート３１を取り出すだけでケア作業を開始することができ、使用者の皮膚のケア作業を迅速かつ容易に行うことができる。また、洗浄シート包装物品２と同様に、ケア作業を行う際に液状のケア剤を持ち運ぶ必要がないため、ケア作業に係る負担を軽減することができるとともに衛生管理の質を向上することもできる。
【００５６】
ケアシート包装物品３では、ケアシート３１が不織布とされることにより、ケアシート３１の風合いを柔らかくして皮膚に与える物理的刺激を低減することができる。また、ケアシート３１からの繊維の脱落を抑制し、ケア作業時に使用者の皮膚に繊維が付着することを防止してケア作業の質を向上することができる。
【００５７】
上述のように、ケアシート３１に含浸されるケア剤は食酢を含んでおり、食酢には、皮膚の炎症等を予防および抑制する抗炎症作用、皮膚の古くなった角質を除去するとともに新陳代謝を促して皮膚の細胞の再生を促進する代謝促進作用、および、皮膚を美白する美白作用等を有するα−ヒドロキシ酸が含まれている。このため、ケアシート包装物品３により使用者の皮膚をケアすることにより、上述のように、皮膚の炎症を抑制して痛みや痒み等の症状を軽減することができる。また、皮膚の新陳代謝を促進して皮膚の肥厚や色素沈着を軽減することもできる。さらには、炎症を起こしていない皮膚に対してケアシート包装物品３を用いてケアを行うことにより、皮膚の炎症を予防することもできる。
【００５８】
食酢の抗炎症作用や代謝促進作用等を良好に発揮させるという観点からは、ケア剤は食酢を５倍以下（より好ましくは、１倍以下）の質量の精製水で希釈して精製されることが好ましく、ケア時に使用者の皮膚に与えられる刺激を低減するという観点からは、食酢を０．５倍以上の質量の精製水で希釈してケア剤が精製されることが好ましい。
【００５９】
食酢はまた、防腐作用や防カビ作用を有するため、ケアシート包装物品３では、ケア剤への防腐剤や防カビ剤の添加を省略することができる。食酢の防腐作用や防カビ作用をより良好に発揮させるという観点からは、ケア剤は、食酢を２倍以下の質量の精製水で希釈して精製されることが好ましい。
【００６０】
ケアセット１の使用者がおむつ等を着用している場合、おむつを着用している部位（例えば、股間部や臀部）の皮膚のケアはおむつの交換時に行われることが多い。ケアシート包装物品３では、ケア剤に含まれる食酢がアルカリ性のにおいを抑制する消臭作用を有するため、おむつ内の尿や便等がアルカリ化している場合にそのにおいを抑制してケア作業に係る作業環境を改善することができる。
【００６１】
ＪＡＳによると、食酢は醸造酢と合成酢とに区分され、醸造酢は果実酢、穀物酢およびその他の醸造酢に区分される。ケア剤に含まれる食酢としては、抗炎症作用や代謝促進作用を有するα−ヒドロキシ酸（いわゆる、フルーツ酸）を豊富に含むという観点から、果実酢が利用されることが好ましく、果実酢の中でも、比較的安価であって爽やかな香りを有するリンゴ酢が利用されることがより好ましい。
【００６２】
使用者の皮膚のケアに対して十分な量のケア剤を１枚のケアシート３１に保持させるという観点からは、１枚のケアシート３１に含浸されるケア剤の質量は、上述のように、ケアシート３１の質量の２倍以上５倍以下とされることが好ましい。
【００６３】
ケアシート包装物品３では、洗浄シート包装物品２と同様に、ケアシート包装体３２が袋状のフィルム部材とされることにより、ケアシート包装物品３を薄型化することができる。その結果、ケアシート包装物品３の携帯を容易化することができる。また、ケアシート包装体３２内にケアシート３１が１枚だけ収容されることにより、１回のケア作業でケアシート包装物品３を使い切ることができるため、衛生管理の質をより向上することができる。
【００６４】
保湿シート包装物品４では、保湿シート４１に予め保湿剤が含浸されているため、保湿シート包装体４２を開封して保湿シート４１を取り出すだけで保湿作業を開始することができ、使用者の皮膚の保湿作業を迅速かつ容易に行うことができる。また、洗浄シート包装物品２と同様に、保湿作業を行う際に液状の保湿剤を持ち運ぶ必要がないため、保湿作業に係る負担を軽減することができるとともに衛生管理の質を向上することもできる。
【００６５】
保湿シート包装物品４では、保湿シート４１が不織布とされることにより、保湿シート４１の風合いを柔らかくして皮膚に与える物理的刺激を低減することができる。また、保湿シート４１からの繊維の脱落を抑制し、保湿作業時に使用者の皮膚に繊維が付着することを防止して保湿作業の質を向上することができる。
【００６６】
使用者の皮膚の保湿に対して十分な量の保湿剤を１枚の保湿シート４１に保持させるという観点からは、１枚の保湿シート４１に含浸される保湿剤の質量は、上述のように、保湿シート４１の質量の２倍以上５倍以下とされることが好ましい。
【００６７】
保湿シート包装物品４では、洗浄シート包装物品２と同様に、保湿シート包装体４２が袋状のフィルム部材とされることにより、保湿シート包装物品４を薄型化することができる。その結果、保湿シート包装物品４の携帯を容易化することができる。また、保湿シート包装体４２内に保湿シート４１が１枚だけ収容されることにより、１回の保湿作業で保湿シート包装物品４を使い切ることができるため、衛生管理の質をより向上することができる。
【００６８】
次に、本発明の第２の実施の形態に係るケアセット１ａについて説明する。図４は、ケアセット１ａの構成を示す平面図である。ケアセット１ａは、洗浄シート２１、ケアシート３１および保湿シート４１をそれぞれ複数枚備える。ケアセット１ａでは、洗浄シート包装体２２ａ内に複数の洗浄シート２１が積層された状態で収容されており、ケアシート包装体３２ａ内に複数のケアシート３１が積層された状態で収容されている。また、保湿シート包装体４２ａ内にも、複数の保湿シート４１が積層された状態で収容されており、洗浄シート包装体２２ａ、ケアシート包装体３２ａおよび保湿シート包装体４２ａは互いに連結される袋状のフィルム部材とされる。
【００６９】
ケアセット１ａでは、洗浄シート２１、ケアシート３１および保湿シート４１の構造や材質、大きさ等は第１の実施の形態と同様である。また、各シートに含浸される洗浄剤、ケア剤および保湿剤の成分や含浸率（すなわち、各シートの質量に対する含浸液の質量の割合）等も第１の実施の形態と同様である。
【００７０】
図４に示すように、ケアセット１ａの洗浄シート包装物品２では、洗浄シート包装体２２ａの上面に洗浄シート２１を取り出すための長円状の取出口２２１が形成されており、取出口２２１はフィルム状の蓋部材２２２により覆われている。蓋部材２２２の取出口２２１側の主面（以下、「裏面」という。）では、取出口２２１と重ならない領域（すなわち、取出口２２１と重なる領域の全周を囲む領域）に粘着剤が塗布されており、蓋部材２２２と洗浄シート包装体２２ａとが取出口２２１の周囲全周において粘着することにより、複数の洗浄シート２１が洗浄シート包装体２２ａ内に外気から遮断されつつ収容される。
【００７１】
略矩形状の蓋部材２２２では、長手方向の一方の端部２２３近傍において幅が漸減され、端部２２３は洗浄シート包装体２２ａの開封開始を補助する補助タブの役割を果たす。以下、端部２２３を「補助タブ２２３」という。蓋部材２２２では、補助タブ２２３の裏面には粘着剤が塗布されておらず、補助タブ２２３が作業者（すなわち、洗浄シート包装物品２を用いて洗浄作業を行う者）等に摘まれて持ち上げられることにより蓋部材２２２の一部（すなわち、取出口２２１を覆う部分）が洗浄シート包装体２２ａから剥離して取出口２２１が露出する（すなわち、洗浄シート包装体２２ａが開封される。）。補助タブ２２３には、作業者の注意を促して洗浄シート包装物品２の開封開始位置であることを容易に認識させるための目印（例えば、「ＯＰＥＮ」等の注意書きや矢印等の図形）が印刷されている。
【００７２】
洗浄シート包装物品２では、洗浄シート包装体２２ａから一旦剥離された蓋部材２２２が、洗浄シート包装体２２ａに当接することにより洗浄シート包装体２２ａに再度粘着することが可能とされる。このため、ケアセット１ａの洗浄シート包装物品２では、蓋部材２２２の一部が洗浄シート包装体２２ａから剥離されて取出口２２１から洗浄シート２１が１枚取り出された後、蓋部材２２２を洗浄シート２１に再度粘着させて洗浄シート包装体２２ａ内の残りの洗浄シート２１を再度密封することができる。
【００７３】
図４に示すように、ケアシート包装物品３でも、洗浄シート包装物品２と同様に、ケアシート包装体３２ａの上面にケアシート３１を取り出すための長円状の取出口３２１が形成されており、取出口３２１は、補助タブ３２３を有するフィルム状の蓋部材３２２により覆われている。蓋部材３２２もケアシート包装体３２ａに対して剥離および再粘着可能とされる。また、保湿シート包装物品４でも、保湿シート包装体４２ａの上面に保湿シート４１を取り出すための長円状の取出口４２１が形成されており、保湿シート包装体４２ａに対して剥離および再粘着可能なフィルム状の蓋部材４２２により取出口４２１が覆われている。蓋部材４２２も長手方向の端部に補助タブ４２３を有する。
【００７４】
ケアセット１ａでは、第１の実施の形態と同様に、使用者の皮膚の洗浄、ケアおよび保湿に必要な洗浄シート包装物品２、ケアシート包装物品３および保湿シート包装物品４が１セットにまとめられていることにより、洗浄シート包装物品２、ケアシート包装物品３および保湿シート包装物品４（すなわち、ケアセット１ａ）を容易に携帯することができる。また、第１の実施の形態と同様に、洗浄シート包装体２２ａ、ケアシート包装体３２ａおよび保湿シート包装体４２ａが連結された袋状のフィルム部材であるため、ケアセット１ａをより容易に携帯することができる。
【００７５】
洗浄シート包装物品２では、第１の実施の形態と同様に、洗浄シート２１に予め洗浄剤が含浸されているため、洗浄シート包装体２２ａを開封して洗浄シート２１を取り出すだけで洗浄作業を開始することができ、使用者の皮膚の洗浄作業を迅速かつ容易に行うことができる。また、ケアシート包装物品３および保湿シート包装物品４においても同様に、ケアシート３１および保湿シート４１に予めケア剤および保湿剤がそれぞれ含浸されているため、使用者の皮膚のケア作業および保湿作業を迅速かつ容易に行うことができる。
【００７６】
ケアセット１ａでは、特に、洗浄シート包装体２２ａ、ケアシート包装体３２ａおよび保湿シート包装体４２ａに洗浄シート２１、ケアシート３１および保湿シート４１がそれぞれ複数枚収容されているため、１つのケアセット１ａを複数回の皮膚の総合ケアに使用することができる。このようなケアセット１ａは、在宅介護等のように、ケアセット１ａの使用者が１人である場合等、厳重な衛生管理が求められない環境における利用に特に適している。
【００７７】
以上、本発明の実施の形態について説明してきたが、本発明は上記実施の形態に限定されるものではなく、様々な変更が可能である。
【００７８】
洗浄シート２１は、必ずしも上述の繊維により形成された不織布には限定されず、例えば、綿、絹、麻、ウール、パルプ等の天然繊維や、ナイロン、ビニロン、ポリ塩化ビニル、ポリウレタン等の合成繊維により形成された不織布が洗浄シート２１として用いられてもよい。
【００７９】
上記実施の形態に係るケアセットは、互いに独立する（すなわち、連結されていない）洗浄シート包装物品２、ケアシート包装物品３および保湿シート包装物品４を備えていてもよい。この場合、別途用意されたケースに３種類の包装物品を収容することにより、ケアセットの携帯が容易とされてもよい。
【００８０】
上記実施の形態に係るケアセットでは、洗浄シート包装物品２、ケアシート包装物品３および保湿シート包装物品４の薄型化の観点からは、洗浄シート包装体、ケアシート包装体および保湿シート包装体がフィルム部材とされることが好ましいが、例えば、第２の実施の形態のように、各包装体に複数のシートが収容されており、包装体の開封および再密封が必要とされる場合には、開閉可能な蓋を備えたプラスチック製の箱状の容器が包装体として利用されてもよい。
【図面の簡単な説明】
【００８１】
【図１】第１の実施の形態に係るケアセットの構成を示す平面図である。
【図２】洗浄シートを示す部分断面図である。
【図３】皮膚のケアの流れを示す図である。
【図４】第２の実施の形態に係るケアセットの構成を示す平面図である。
【符号の説明】
【００８２】
１，１ａ    ケアセット
２    洗浄シート包装物品
３    ケアシート包装物品
４    保湿シート包装物品
２１    洗浄シート
２２，２２ａ    洗浄シート包装体
３１    ケアシート
３２，３２ａ    ケアシート包装体
４１    保湿シート
４２，４２ａ    保湿シート包装体
２１１    表層
２１２    中間層
２１３    裏層
Ｓ１１〜Ｓ１８    ステップ
【図１】
0004452226.tif 000002
【図２】
0004452226.tif 000003
【図３】
0004452226.tif 000004
【図４】
0004452226.tif 000005